(57)【特許請求の範囲】
【請求項１】
折り畳み可能な構造を有する電子機器において、
電源ＯＮ状態においてキー操作が所定時間以上ないときに表示を消す消灯手段と、機器本体が折り畳まれたときにおいて上記消灯手段が動作中か否かを判定し、上記消灯手段が動作中であると判定した場合に報知を行わせる制御手段とを備えたことを特徴とする電子機器。
【請求項２】
上記制御手段は、機器本体が折り畳まれたときにおいて、上記消灯手段が動作中であると判定されたときに報知を行わせ、上記消灯手段が動作中でないと判定されたときに上記消灯手段を動作させることを特徴とする請求項１記載の電子機器。
【発明の詳細な説明】
【０００１】
【発明の属する技術分野】
本発明は、折り畳み可能な構造を有する電子機器に関する。
【０００２】
【従来の技術】
従来より、折り畳み可能な構造を有する電子機器においては、特開平１１−１１２６２２号公報に示されるように、任意のキー入力又はフラップを開ける操作又は着信によって表示器への電源供給を開始し、特定時間キー入力が行われない場合又はフラップを閉じる操作によって表示器への電源供給を停止することにより、消費電力を節約して連続使用時間を長くするようにしたものや、実願昭６０−１５２１７４号（実開昭６２−６２３２９号）のマイクロフィルムに示されるように、電源ＯＮ状態で機器本体が折り畳まれたときに警報を鳴らしてこれを利用者に知らせることにより、電子機器の加熱を防止するようにしたものが提案されていた。
【０００３】
【発明が解決しようとする課題】
ところで、折り畳み可能な構造を有する電子機器の使用方法としては、クラムシェル型携帯電話機のように、通常の使用時（待受時）に電源ＯＮ状態で機器本体を折り畳んでおき、長時間使用しないときに電源ＯＦＦ状態で機器本体を折り畳む使用方法が想定されるが、上述のように、特定時間キー入力が行われない場合又はフラップを閉じる操作によって表示器への電源供給を停止することによって消費電力を節約して連続使用時間を長くするようにしたものでは、表示器への電源供給が停止している状態において電源がＯＮ状態であるのかＯＦＦ状態であるのか区別がつかないため、長時間使用しない場合において誤って電源ＯＮ状態で機器本体を折り畳んでしまい、利用者の意図に反して無駄に電力を消費してしまう恐れがあった。
【０００４】
又、これを防止するために、電源ＯＮ状態で機器本体が折り畳まれたときに警報を鳴らしてこれを利用者に知らせるようにした場合には、表示器への電源供給が停止している状態において誤って電源ＯＮ状態で機器本体を折り畳んでしまう恐れがなくなり、利用者の意図に反して無駄に電力を消費することはなくなるが、機器本体を折り畳む度に警報が鳴るため、通常の使用時に電源ＯＮ状態で機器本体を折り畳むような電子機器に適用した場合には、利用者のみならず周囲に不快感を与えるといった問題点があった。
【０００５】
本発明は、誤って電源ＯＮ状態で機器本体を折り畳んでしまうことがなく、又利用者や周囲への不快感を与えることのない電子機器を提供することを目的とするものである。
【０００６】
【課題を解決するための手段】
上述の目的を達成するために、本発明は、折り畳み可能な構造を有する電子機器において、電源ＯＮ状態においてキー操作が所定時間以上ないときに表示を消す消灯手段と、機器本体が折り畳まれたときにおいて上記消灯手段が動作中か否かを判定し、上記消灯手段が動作中であると判定した場合に報知を行わせる制御手段とを備える構成としたものである。
【０００７】
又、本発明は、上記の構成に加え、上記制御手段が、機器本体が折り畳まれたときにおいて、上記消灯手段が動作中であると判定されたときに報知を行わせ、上記消灯手段が動作中でないと判定されたときに上記消灯手段を動作させる構成としたものである。
【０００８】
従って、本発明によれば、電源ＯＮ状態でキー操作が所定時間以上ないときに消灯手段が表示を消す一方、制御手段が、機器本体が折り畳まれたときにおいて消灯手段が動作中であると判定されたときに報知を行わせ、機器本体が折り畳まれたときにおいて消灯手段が動作中でないと判定されたときに消灯手段を動作させることにより、消費電力の低減を図ることができると共に、表示が消えている状態で且つ電源ＯＮ状態で機器本体が折り畳まれたときに報知を行わせることができる。
【０００９】
【発明の実施の形態】
以下、本発明の実施の形態を図面を参照して詳細に説明する。
【００１０】
図１は本発明の電子機器の一実施の形態であるクラムシェル型携帯電話機の構成を示す機能ブロック図、図２は同クラムシェル型携帯電話機の外観を示す図であり、（ａ）は機器本体を開状態としたときの斜視図、（ｂ）は機器本体を開状態としたときの側面図、（ｃ）は機器本体を閉状態としたときの側面図をそれぞれ示す。図３は同クラムシェル型携帯電話機の電源ＯＮ状態における表示及び警告の動作制御を示すフローチャートである。
【００１１】
以下、本発明の電子機器の一実施の形態であるクラムシェル型携帯電話機を図１乃至図３に基づいて説明する。
【００１２】
図１及び図２において、１はアンテナ、２はアンテナ１を介して電波を受信及び送信する通信回路部、３は通信回路部２で受信又は送信される信号に含まれる音声信号を処理する音声処理部、４は音声処理部３で処理された信号を外部に放音するスピーカ、５は外部音声を集音して音声処理部３に供給するマイクである。
【００１３】
６はキー入力を判定するキー入力部であり、通話を開始させる通話キーや、短時間押しにより通話を終了させ、長時間押しにより電源をＯＮ／ＯＦＦさせる終話／電源キー等の機能キーと、電話番号の入力等を行う数字キーとからなっている。
【００１４】
７は機器本体の開閉状態を検出する開閉状態検出部であって、第１の筺体に設けられた突起７ａと第２の筺体に設けられたセンサ７ｂとからなり、機器本体が折り畳まれて閉状態となっているときに突起７ａがセンサ７ｂに接触して閉状態を表わす信号を送出し、機器本体が折り畳まれず開状態となっているときに突起７ａがセンサ７ｂに接触せず開状態を表わす信号を送出するように構成されている。
【００１５】
８は通信回路部２、音声処理部３、キー入力部６及びセンサ７からの信号を処理する制御部、９は各種状態の表示を行う表示部、１０は警告音を出力するブザー出力部、１１はブザー出力部９に警告処理を送る警告出力処理部であり、これらアンテナ１と通信回路部２と音声処理部３とスピーカ４とマイク５とキー入力部６と開閉状態検出部７と制御部８と表示部９とブザー出力部１０と警告処理部１１とによってクラムシェル型携帯電話機が構成されている。
【００１６】
次に、上記のように構成されたクラムシェル型携帯電話機の電源ＯＮ状態における表示及び警告のＯＮ／ＯＦＦ動作を図３に示すフローチャートに基づいて説明する。
【００１７】
機器本体の電源がＯＮされることによってこのフローチャートが開始され、まず、制御部８が開閉状態検出部７からの信号に基づいて機器本体が閉状態から開状態に切り換わったか否か判断し（ステップＳ１）、機器本体が閉状態から開状態に切り換わったと判断した場合において、表示部９における表示をＯＮ状態とする（ステップＳ５）と共に、表示をＯＦＦ状態にするための基準となる特定時間をリセットする（ステップＳ６）。
【００１８】
尚、表示部９における表示をＯＮ状態とするとは、表示部９を構成する図示しないバックライトのみへの電源供給が遮断されてい場合においてそのバックライトへの電源供給を再開することを、又表示部９全体への電源供給が遮断されている場合においてその表示部９全体への電源供給を再開することを指し、既に表示部９における表示がＯＮ状態になっている場合には、そのＯＮ状態を維持して特定時間のリセットのみを行う。
【００１９】
一方、制御部８において、機器本体が閉状態から開状態に切り換わっていないと判断した場合には（ステップＳ１）、制御部８がキー入力部６からの信号に基づいてキー入力があったか否か判断する（ステップＳ２）と共に、通信回路部２からの信号に基づいて着信があったか否か判断し（ステップＳ３）、キー入力又は着信があったと判断した場合において、開閉状態検出部７からの信号に基づいて機器本体が開状態にあるか否か判断する（ステップＳ４）。
【００２０】
そして、制御部８において、機器本体が開状態にあると判断した場合には（ステップＳ４）、表示部９における表示をＯＮ状態とする（ステップＳ５）と共に、表示をＯＦＦ状態にするための基準となる特定時間をリセットし（ステップＳ６）、又機器本体が閉状態にあると判断した場合（ステップＳ４）、並びに、キー入力及び着信がなかったと判断した場合には（ステップＳ２、Ｓ３）、開閉状態検出部７からの信号に基づいて機器本体が開状態から閉状態に切り換わったか否か判断する（ステップＳ７）。
【００２１】
そして、制御部８において、機器本体が開状態から閉状態に切り換わっていないと判断した場合には（ステップＳ７）、制御部８が表示部９における表示がＯＮ状態となっているか否かを判断する（ステップＳ８）と共に、特定時間が経過したか否か判断し（ステップＳ９）、表示部９における表示がＯＮ状態でない又は特定時間が経過していないと判断した場合には、上述の動作制御（ステップＳ１〜Ｓ９）を再度実行し、又表示部９における表示がＯＮ状態で且つ特定時間が経過したと判断した場合には、表示部９における表示をＯＦＦ状態とし（ステップＳ１０）、その後に上述の動作制御（ステップＳ１〜Ｓ９）を再度実行する。
【００２２】
尚、表示部９における表示をＯＦＦ状態とするとは、表示部９を構成する図示しないバックライトのみへの電源供給を遮断したり、表示部９全体への電源供給を遮断することを指す。
【００２３】
一方、制御部８において、機器本体が開状態から閉状態に切り換わったと判断した場合には（ステップＳ７）、制御部８が表示部９における表示がＯＦＦ状態となっているか否かを判断し（ステップＳ１１）、表示部９における表示がＯＦＦ状態となっていないと判断した場合には、表示部９における表示をＯＦＦ状態とし（ステップＳ１０）、その後に上述の動作制御（ステップＳ１〜Ｓ９）を再度実行し、又表示部９における表示がＯＦＦ状態となっていると判断した場合には、制御部８が警告処理部１１を介してブザー出力部１０を駆動して警告音を発生させ（ステップＳ１２）、その後に上述の動作制御（ステップＳ１〜Ｓ９）を再度実行する。
【００２４】
従って、上記動作制御によれば、表示部９における表示がＯＦＦ状態となり、電源ＯＮ状態なのか電源ＯＦＦ状態なのか区別がつかない場合において、電源ＯＮ状態で機器本体が開状態から閉状態に切り換えられたときにブザー出力部１０によって警告音を発生させることができる。
【００２５】
しかも、例えば、機器本体を閉状態から開状態に切り換えて通話を行い、その後に通話を終了して機器本体を開状態から閉状態に切り換えて待受状態にするといった通常の使用状態においては、通話終了のためにキー入力部６の終話／電源キーが短時間押しされて表示部９における表示がＯＮ状態となってから機器本体が開状態から閉状態に切り換えられるため、ブザー出力部１０によって警告音が発生することはなく、従って、通常の使用状態において利用者や周囲に警告音の発生による不快感を与えることはない。
【００２６】
尚、上記実施の形態では、ブザー出力部１０による警告音の発生によって報知を行うようにしたが、これに限定されるものではなく、例えば、振動装置による振動によって報知を行うようにしても良い。
【００２７】
【発明の効果】
以上のように、本発明によれば、電源ＯＮ状態でキー操作が所定時間以上ないときに表示を消す一方、表示が消えている状態で且つ電源ＯＮ状態で機器本体が折り畳まれたときにのみ報知を行わせることにより、通常の使用時に電源ＯＮ状態で機器本体を折り畳むような電子機器に適用した場合であっても、利用者や周囲に不快感を与えることなく、表示が消えている状態において誤って電源ＯＮ状態で機器本体を折り畳んでしまうといったことを防止することができるため、表示の消去や非使用時に電源ＯＦＦ状態にすることに伴う消費電力の低減を、利用者や周囲への不快感を与えることなく、確実に図ることができる。
【図面の簡単な説明】
【図１】本発明の電子機器の一実施の形態であるクラムシェル型携帯電話機の構成を示す機能ブロック図である。
【図２】同クラムシェル型携帯電話機の外観を示す図であり、（ａ）は機器本体を開状態としたときの斜視図、（ｂ）は機器本体を開状態としたときの側面図、（ｃ）は機器本体を閉状態としたときの側面図をそれぞれ示す。
【図３】同クラムシェル型携帯電話機の電源ＯＮ状態における表示及び警告の動作制御を示すフローチャートである。
【符号の説明】
１    アンテナ
２    通信回路部
３    音声処理部
４    スピーカ
５    マイク
６    キー入力部
７    開閉状態検出部
８    制御部
９    表示部
１０    ブザー出力部
１１    警告処理部
【図１】
0003741605.tif 000002
【図２】
0003741605.tif 000003
【図３】
0003741605.tif 000004